(57)【要約】【課題】接合端の揺動式設計により、揺動で接合端の係止片を動かして嵌合または分離した状態にさせ、ソケットの固定及び分離を行なうことができる、ソケットハンガーの提供。【解決手段】固定端及び接合端から構成され、前記固定端上に固定レール部を設け、前記固定レール部は弧形槽部を備え、前記接合端が回動体及び押圧部から構成され、前記押圧部は弾性部材及び押圧部材から成り、前記回動体は中心孔及び係止片を備え、前記中心孔に前記弾性部材及び押圧部材が挿入され、ソケットを接合端に設置するときは、前記押圧部材が固定レール部により中心孔の最下端に押し入れられ、押圧部材の一端が係止片を押し開き、前記係止片がソケットを係止して嵌合固定し、ソケットを取り外すときは、接合端を回動させて押圧部を弧形槽部に対応させると、押圧部材が弧形槽部に進入されて中心孔底部の空間が解放され、前記係止片が押圧を受けなくなって若干内側に収縮し、ソケットを回動体から抜き取り分離する。【選択図】図１
0003135731.tif 000002
【実用新案登録請求の範囲】
【請求項１】
ソケットハンガーであって、その本体が主に固定端及び接合端を含み、そのうち、前記固定端が固定レール部を備え、前記固定レール部上に弧形槽部が形成され、前記接合端が回動体及び押圧部を備え、前記回動体が前記固定レール部上に設置され、且つ、前記回動体が中心孔及び係止片を備え、前記中心孔に前記押圧部が挿入され、且つ、前記押圧部が内側から係止片を圧迫して係止片の内側への収縮を制限し、ソケットの嵌合固定効果を形成することができ、この構造により、嵌合固定効果を解除したいときは、前記回動体を回動させて前記押圧部を前記固定レール部の弧形槽部内に対応させて進入させるだけで、前記押圧部の前記係止片に対する制限を解除することができることを特徴とする、ソケットハンガー。     
【請求項２】
前記回動体がリング部材を備え、前記リング部材が前記固定レール部上に周設され、前記接合端を回動可能とすることを特徴とする、請求項１に記載のソケットハンガー。
【請求項３】
前記固定レール部が複数の線状突起を備え、前記リング部材の両端にそれぞれ嵌合角部が設けられ、前記線状突起と前記嵌合角部の噛み合わせにより、前記接合端を固定端上で位置決めすることを特徴とする、請求項１または２に記載のソケットハンガー。           
【請求項４】
前記押圧部が押圧部材と弾性部材を含み、前記押圧部材が半円形の凸面を備え、前記凸面が前記固定レール部に当接され滑動することを特徴とする、請求項１または２に記載のソケットハンガー。
【請求項５】
前記固定端がカバー体を備え、前記カバー体が前記固定レール部の両端に設置され、前記接合端を前記固定レール部上に位置決めすると共に、前記接合端の数を増減させることができることを特徴とする、請求項１または２に記載のソケットハンガー。       
【請求項６】
前記固定端がカバー体を備え、前記カバー体が前記固定レール部の両端に設置され、前記接合端を前記固定レール部上に位置決めすると共に、前記接合端の数を増減させることができることを特徴とする、請求項３に記載のソケットハンガー。
【請求項７】
前記係止片に位置決め部が設けられ、前記位置決め部がソケットを嵌設するために用いられることを特徴とする、請求項１または２に記載のソケットハンガー。
【考案の詳細な説明】
【技術分野】
【０００１】
本考案はソケットハンガーに関し、詳細には、ソケット収納座体上に揺動可能な接合端を設け、この接合端がソケットと接合され、接合端の揺動によりソケットを固定または分離することができ、これによりソケットの収納と取り外しを行なえるようにした、ソケットハンガーに関する。            
【背景技術】
【０００２】
螺合固定部材は工業工程で最もよく見受けられ、また最も不可欠な重要部材であり、機器の組立て時には多くの大きさが不均一な螺合固定部材を使用し、それにより機器における各部材の固定や取り付けが行なわれる。しかしながら、螺合固定部材は機械器具上に取り付けられる小さな部材であり、螺合固定部材の種類、大きさは、ドライヤーやコンピュータ筐体、テレビ筐体等、用途によってさまざまな違いがある。最もよく使用されるのは一般的なネジ型ボルトであり、また別の種類としては例えば自動車の車輪用の六角ネジがあるが、前記のネジはネジ頭部に駆動用の溝がないため、ソケットをネジ頭部に被せて駆動する。このため、ネジの大きさの違いによりそれぞれ対応するソケットが生産されている。現今のソケットレンチのほとんどは、ソケットとレンチが分離可能に設計されており、これによりレンチに各種異なる大きさのソケットを連結し、工具の軽便化を図っているが、ソケットの数が多すぎるため収納具を利用してそれらを収納し、工程作業上の効率向上が行なわれている。
【０００３】
中華民国特許出願番号第０９０２１６８８５号「収納及び展示両用ソケットハンガー」は、ハンガー、ソケット座体及び固定部材が設けられ、前記ハンガーは板体のような形態を呈し、その板面に複数の孔がマトリクス状に排列されて穿設され、このハンガー上方は平面状を呈し、且つハンガーを吊り下げるための孔が穿設され、板体背面周縁には突出縁部が設けられると共に、前記ソケット座体は中空体であり、その外縁に凸縁部が周設され、このソケット座体上端部の相対する側縁に突出点がそれぞれ設けられ、ソケットの一端を嵌入することができると共に、下端部が前記ハンガーに排列された孔の中に嵌入され、この下端部に開口部が設けられ、かつその傍の下端部縁部にフック状の突起縁部が設けられ、これによりハンガーの排列された孔の周縁部に係止することができ、さらに前記固定部材は一端が釘の頭部に似た形状を呈し、他端がソケットの中に穿入されてソケット座体に穿設され、この端部に開口部が設けられ、その末端にフック状の突起縁部が周設され、ソケット座体下端部の縁部上に係止されると共に、前記釘の頭部に似た一端の高さはソケットより高くないものとし、上述の部材を組立て、ソケットに固定部材を穿入し、その釘の頭部に似た一端で固定した後、ソケットを取り外す必要があるときは、ハンガー背面の固定部材のフック状突起縁部をカットすれば、自由にソケットを取り外すことができ、ハンガーには複数の孔がマトリクス状に排列されているため、複数のソケットを収納できることを特徴としている。
【特許文献１】中華民国特許出願番号第０９０２１６８８５号「収納及び展示両用ソケットハンガー」
【０００４】
上述の「収納及び展示両用ソケットハンガー」は、ソケットの収納機能は備えているものの、その構造はソケットを固定するとき、固定部材をソケットとソケット座体に穿通させてハンガー上に嵌置するようになっており、ソケットの収納と取り外しを迅速に行なうことができず、且つ、前記ハンガーはマトリクス状に孔が排列された板体であり、ソケットを固定したとき、ソケットの体積がマトリクス状の孔より大きいため、マトリクス状に排列された各孔を有効に利用することができず、ソケット数に対応するための固定空間が不足するという問題がある。さらに、取り外すときはソケットが相互に邪魔となり、ソケットを取り外しにくいため、収納と取り外しのどちらにおいても不便である。
【０００５】
上述の固定部材でソケットを収納する方法は、実用性において効果に優れないため、本考案の考案者は、揺動する接合端を備えたソケットハンガーを提供するものであり、前記接合端はソケットと接合するために用いられ、前記接合端の揺動によりソケットを固定または分離することができ、迅速なソケットの収納と取り外しの効果を得ることができる。
【考案の開示】
【考案が解決しようとする課題】
【０００６】
本考案の目的は、一般的なソケットを固定する機能のほか、その接合端の揺動式設計により、揺動で接合端の係止片を動かして嵌合または分離した状態にさせ、これによりソケットの接続孔を接続してソケットの固定及び分離を行なうことができる、ソケットハンガーを提供することにある。      
【課題を解決するための手段】
【０００７】
前述の考案の目的を達するため、本考案は固定端及び接合端から構成され、前記固定端上に固定レール部が設けられ、前記固定レール部は円形の棒状を呈し、且つ弧形槽部を備えており、前記接合端が回動体及び押圧部から構成され、前記押圧部は弾性部材及び押圧部材から成り、前記回動体はリング部材、突起体及び中心孔を備え、前記リング部材が固定レール部上に設置され、前記中心孔に前記弾性部材及び押圧部材が順序に従い挿入され、ソケットを接合端に設置するときは、前記押圧部材が固定レール部により中心孔の最下端に押し入れられ、前記押圧部材の一端により係止片が押し開かれ、前記係止片がソケットを係止して固定し、ソケットを取り外すときは、接合端を回動させて押圧部を弧形槽部に対応させると、押圧部材が弾性部材により弧形槽部に進入され、これにより中心孔底部の空間が解放され、前記係止片が押圧部材による押圧を受けなくなって若干内側に収縮し、最後にソケットを回動体から抜き取ると分離の動作を完了することができる。前記接合端の揺動により、ソケットを固定または分離することができ、ソケットの収納機能が完成される。
【考案の効果】
【０００８】
本考案のソケットハンガーは従来の収納及び展示両用ソケットハンガーに比べ、収納がより便利にでき、接合端を回動させるだけで固定と分離の操作ができるほか、揺動により迅速な分離と接合ができ、動作がより便利かつ簡易であると共に、操作も従来のソケットハンガーより迅速かつ優れている。
【０００９】
このように、本考案は実用性と進歩性を備えた創作であり、産業界と社会大衆に広める価値がある。
【考案を実施するための最良の形態】
【００１０】
本考案のソケットハンガーは、図１と図２に示すように、前記ソケットハンガー本体１０が固定端２０と接合端３０を含む。
【００１１】
前記固定端２０は凸座部２１、固定レール部２２及びカバー体２３を備え、前記凸座部２１は長細い下方が開口したコの字形を呈する凸面体であり、中間部に規制部２１１が形成され、前記規制部２１１は長い板体状を呈し、接合端３０の最大回転角度を規制するために用いられ、前記規制部２１１上方に固定レール部２２が形成され、前記固定レール部２２は長い棒状を呈し、且つ、前記固定レール部２２は固定レール部２２と同じ長さの凹面の弧形槽部２２１及び複数の線状突起２２２を備え、さらに前記固定レール部２２と凸座部２1の両端にカバー体２３がそれぞれ被せられ、前記カバー体２３は凸座部２１と固定レール部２２の断面形状を呈し、前記カバー体２３は接合端３０を固定レール部２２上に位置決めし、且つ、接合端３０の数を増減させるために用いられる。
【００１２】
前記接合端３０は回動体３１及び押圧部３２を備え、前記回動体３１は円柱状を呈し、且つ一端にリング部材３１２が設けられ、前記リング部材３１２は空心の半円筒状を呈し、且つ両端にそれぞれ内側に向かう嵌合角部３１２１が形成され、前記リング部材３１２は固定レール部２２上に設置され、接合端３０を固定レール部２２上で回動させることができ、且つ、前記リング部材３１２の嵌合角部３１２１は固定レール部２２の線状突起２２２と組み合わされて動作し、前記嵌合角部３１２１と線状突起２２２の噛み合わせにより、接合端３０を固定端２０上で位置決めすることができ、使用者に接合端３０の回動調整の変化を理解させると共に、前記接合端３０が勝手に回動してソケット４０が抜け落ちるのを防止し、且つ、嵌合角部３１２１の端部を規制部２１１に当接させることで接合端３０に固定端２０上で最大限度の回動をさせることができる。前記回動体３１は他端に方形の突起体３１１が設置され、前記突起体３１１の上下両側にそれぞれ係止片３１１１が設けられ、前記係止片３１１１は長方形の片体であり、且つ三辺が分離しており一辺が突起体３１１上に形成され、前記回動体３１は空心の円筒状の中心孔３１３を備え、前記中心孔３１３は回動体３１の中心に位置し、且つ開口部がリング部材３１２の空心箇所の一面に位置し、突起体３１１の中心箇所に貫通しており、さらに底部に固定槽３１３１が設けられ、前記中心孔３１３は押圧部３２に被せて設置され、これにより押圧部３２が滑動して係止片３１１１が押し開かれたり、若干内側に収縮したりすることができ、前記係止片３１１１には位置決め部３１１２が設けられ、ソケット４０の嵌合に用いられる。
【００１３】
前記接合端３０の押圧部３２は押圧部材３２１及び弾性部材３２２から構成され、前記押圧部材３２１は円筒状を呈し、その一端に収容孔３２１１が設けられ、前記収容孔３２１１は空心の円筒状を呈し、前記収容孔３２１１に弾性部材３２２が挿入されて固定され、弾性部材３２２が押圧部３２で動作するときの安定性を高めることができ、前記押圧部３２が中心孔３１３内に設置されるとき、前記弾性部材３２２の一端が固定槽３１３１に接続され、これにより、押圧部３２の中心孔３１３内における滑動が安定されると共に、前記押圧部材３２１の他端に凸面３２１２が設けられ、前記凸面３２１２は半円形の曲面であり、前記凸面３２１２は接合端３０が固定端２０上で回動されるとき、押圧部材３２１を固定レール部２２上で滑動させるために用いられ、さらに押圧部３２を中心孔３１３内で滑動させる。
【００１４】
図１と、図３、図４の本考案のソケットハンガーの動作図に示すように、一般的なソケット４０は接続孔４１を備え、前記接続孔４１に嵌合槽４１１が設けられ、ソケット４０を分離させる動作を行なうときは、接合端３０を回動させ、前記接合端３０の押圧部３２を固定レール部２２の弧形槽部２２１に対応させると、前記押圧部３２の押圧部材３２１が弾性部材３２２により弧形槽部２２１内に向かって押し動かされ、これにより中心孔３１３底部の空間が解放されて、突起体３１１の係止片３１１１が押圧部３２の押圧部材３２１による圧迫を受けなくなり、内側に向かって若干収縮し、前記係止片３１１１上の位置決め部３１１２がソケット４０接続孔４１内の嵌合槽４１１から出て、嵌合固定効果が解除される。このとき、ソケット４０を回動体３１の突起体３１１から抜くと、分離の動作が完了する。ソケット４０の接合動作を行なうときは、ソケット４０の接続孔４１に突起体３１１を挿入させ、接続孔４１の嵌合槽４１１を係止片３１１１の位置決め部３１１２に対応させて接合端３０を回動させると、前記押圧部３２の押圧部材３２１が固定レール部２２の曲面の影響を受け、押圧部材３２１を中心孔３１３の下端まで押し動かされて係止片３１１１を圧迫し、係止片３１１１の位置決め部３１１２が接続孔４１の嵌合槽４１１に嵌入されて嵌合効果が形成され、ソケット４０の接合が完了される。
【００１５】
上述の説明は本考案の最良の実施例を解説するためのものであり、本考案に対しいかなる形式上の制限を加えるものではなく、例えば、接合端３０の数を変える等、同様の考案精神下で行われる本考案のあらゆる修飾や変更、その他本考案に基づく実施形態で同様の効果を備えているものはすべて本考案の保護の範囲内に含まれるものとする。
【００１６】
上述をまとめると、本考案のソケットハンガーは構造設計及び使用上の実用性において、確実に実用性の条件を満たしており、且つ、ここに開示した構造の考案は、これまでにない新しい構造であるため、新規性を備えていることも疑いがなく、また、本考案は従来品の構造に比べその効果が増進されるため、進歩性も備えており、特許法の考案特許出願規定を完全に満たしているため、法に基づきここに特許を出願するものである。
【図面の簡単な説明】
【００１７】
【図１】本考案のソケットハンガーの立体分解図である。
【図２】本考案のソケットハンガーの固定端に複数のソケットを収納し、そのうち１つを分離した状態を示す立体図である。
【図３】本考案のソケットハンガーの動作状態を示す断面図１である。
【図４】本考案のソケットハンガーの動作状態を示す断面図２である。
【符号の説明】
【００１８】
１０      本体
２０      固定端        
２１      凸座部
２１１    規制部
２２      固定レール部          
２２１    弧形槽部
２２２    線状突起
２３      カバー体          
３０      接合端
３１      回動体          
３１１    突起体
３１１１  係止片
３１１２  位置決め部
３１２    リング部材          
３１２１  嵌合角部
３１３    中心孔
３１３１  固槽          
３２      押圧部
３２１    押圧部材          
３２１１  収容孔
３２１２  凸面
３２２    弾性部材
４０      ソケット          
４１      接続孔
４１１    嵌合槽
【図１】
0003135731.tif 000003
【図２】
0003135731.tif 000004
【図３】
0003135731.tif 000005
【図４】
0003135731.tif 000006